(57)【要約】【課題】  １つのコイルで２電源回路を構成し、コストを低減し、サイズを小さくする。【解決手段】  一方の端子が入力電源（Ｖ＋）に接続されたコイル（Ｌ１）、該コイルの他方の端子に接続された第１のトランジスタ（Ｔｒ１）、該第１のトランジスタと並列に接続されたダイオード（Ｄ１）、及び該第１のトランジスタを所定のタイミングでオン、オフさせる制御部を備え、前記第１のトランジスタ（Ｔｒ１）をオンすることにより降圧電源出力を得るとともに前記コイル（Ｌ１）にエネルギーを蓄積し、前記第１のトランジスタ（Ｔｒ１）をオフすることにより前記コイル（Ｌ１）に蓄積されたエネルギーを前記ダイオードを介して放出し昇圧電源出力を得る。【選択図】      図７
2005328645.tif 000002
【特許請求の範囲】
【請求項１】
一方の端子が入力電源（Ｖ＋）に接続されたコイル（Ｌ１）、該コイルの他方の端子に接続された第１のトランジスタ（Ｔｒ１）、該第１のトランジスタと並列に接続されたダイオード（Ｄ１）、及び該第１のトランジスタを所定のタイミングでオン、オフさせる制御部を備え、
前記第１のトランジスタ（Ｔｒ１）をオンすることにより降圧電源出力を得るとともに前記コイル（Ｌ１）にエネルギーを蓄積し、
前記第１のトランジスタ（Ｔｒ１）をオフすることにより前記コイル（Ｌ１）に蓄積されたエネルギーを前記ダイオード（Ｄ１）を介して放出し昇圧電源出力を得る、
電源回路。
【請求項２】
前記コイル（Ｌ１）の他方の端子に、前記第１のトランジスタ（Ｔｒ１）及び前記ダイオード（Ｄ１）と並列に接続された第２のトランジスタ（Ｔｒ２）、該第１のトランジスタ（Ｔｒ１）と直列に接続された第２のダイオード（Ｄ２）、及び該第２のトランジスタを所定のタイミングでオン、オフさせる制御部を備え、前記第１のトランジスタ（Ｔｒ１）がオフの間の一部において該第２のトランジスタ（Ｔｒ２）をオンすることにより昇圧電源に必要なエネルギーを前記コイルに蓄積する、請求項１に記載の電源回路。
【請求項３】
前記第１のトランジスタ（Ｔｒ１）がオンからオフになり、前記第２のトランジスタ（Ｔｒ２）がオフからオンになるときに、前記第１及び第２のトランジスタ（Ｔｒ１、Ｔｒ２）がともにオンとなる期間を設けた、請求項２に記載の電源回路。
【請求項４】
前記第１のトランジスタ（Ｔｒ１）がオフの間に前記第２のトランジスタ（Ｔｒ２）を複数回オン、オフすることにより昇圧電源に必要なエネルギーを前記コイルに蓄積する、請求項２に記載の電源回路。
【請求項５】
前記第１のトランジスタ（Ｔｒ１）及び第２のトランジスタ（Ｔｒ２）に電流制限部を設け、前記コイル（Ｌ１）に設定値以上の電流が流れたことが検知されたとき、前記電流制限部が前記第１及び第２のトランジスタ（Ｔｒ１、Ｔｒ２）の各々に流れる電流を制限する、請求項２に記載の電源回路。
【請求項６】
前記入力電源（Ｖ＋）と前記コイル（Ｌ１）の間に直列に接続された第２のトランジスタ（Ｔｒ２）、該第２のトランジスタ（Ｔｒ２）と前記コイル（Ｌ１）の間と接地間に接続された第２のダイオード（Ｄ２）、及び該第２のトランジスタを所定のタイミングでオン、オフさせる制御部を備え、前記第１のトランジスタ（Ｔｒ１）がオンのときに該第２のトランジスタ（Ｔｒ２）をオン、オフとすることにより、降圧電源へエネルギー供給を行う、請求項１に記載の電源回路。
【請求項７】
前記第１のトランジスタ（Ｔｒ１）がオンのときに前記第２のトランジスタ（Ｔｒ２）を複数回オフとすることにより、降圧電源へエネルギー供給を行う、請求項６に記載の電源回路。
【請求項８】
前記コイル（Ｌ１）の出力側の端子に、前記第１のトランジスタ（Ｔｒ１）及び前記ダイオード（Ｄ１）と並列に接続された第３のトランジスタ（Ｔｒ３）、該第１のトランジスタ（Ｔｒ１）と直列に接続された第３のダイオード（Ｄ３）、及び該第３のトランジスタを所定のタイミングでオン、オフさせる制御部を備え、
前記第１のトランジスタ（Ｔｒ１）がオフの間に該第３のトランジスタ（Ｔｒ３）をオンすることにより、昇圧電源に必要なエネルギーを前記コイルに蓄積し、
前記第１のトランジスタ（Ｔｒ１）がオンの間に該第３のトランジスタ（Ｔｒ３）をオフすることにより、降圧電源へエネルギー供給を行う、請求項６に記載の電源回路。
【請求項９】
一方の端子が入力電源に接続された第１のトランジスタ（Ｔｒ１）、該第１のトランジスタ（Ｔｒ１）の他方の端子に接続されたコイル（Ｌ１）、該コイルと並列に接続されたダイオード（Ｄ１）とコンデンサ（Ｃ２）、及び該トランジスタを所定のタイミングでオン、オフさせる制御部を備え、
前記第１のトランジスタ（Ｔｒ１）をオンすることにより前記コイル（Ｌ１）から降圧電源出力を得るとともに前記コイル（Ｌ１）にエネルギーを蓄積し、
前記第１のトランジスタ（Ｔｒ１）をオフすることにより前記コイル（Ｌ１）に蓄積されたエネルギーを前記ダイオード（Ｄ１）とコンデンサ（Ｃ２）を介して放出し，極性反転出力を得るとともに、前記コイル（Ｌ１）の出力から降圧電源出力を得る、
電源回路。
【請求項１０】
前記コイル（Ｌ１）の出力側と接地間に接続された第２のトランジスタ（Ｔｒ２）、該第２のトランジスタ（Ｔｒ２）と並列に接続された第２のダイオード（Ｄ２）、及び該第２のトランジスタを所定のタイミングでオン、オフさせる制御部を備え、前記第１と第２のトランジスタ（Ｔｒ１、Ｔｒ２）をともにオンさせることにより、極性反転電源に出力するエネルギーを蓄積し、前記第１と第２のトランジスタ（Ｔｒ１、Ｔｒ２）をともにオフさせることにより、前記コイル（Ｌ１）に蓄積されたエネルギーを前記ダイオード（Ｄ１）とコンデンサ（Ｃ２）を介して放出し，極性反転出力を得るとともに、前記コイル（Ｌ１）の出力から昇降圧電源出力を得る、請求項９に記載の電源回路。
【請求項１１】
前記コイル（Ｌ１）の出力側と接地間に接続された第２のトランジスタ（Ｔｒ２）、及び該第２のトランジスタを所定のタイミングでオン、オフさせる制御部を備え、前記第１のトランジスタ（Ｔｒ１）がオフのときに第２のトランジスタ（Ｔｒ２）をオンさせることにより、前記コイル（Ｌ１）に蓄積されたエネルギーを極性反転電源に出力する、請求項９に記載の電源回路。
【請求項１２】
前記コイル（Ｌ１）の出力側と接地間に接続された第２のトランジスタ（Ｔｒ２）、及び該第２のトランジスタを所定のタイミングでオン、オフさせる制御部を備え、前記第２のトランジスタ（Ｔｒ２）がオンのときに、前記第１のトランジスタ（Ｔｒ１）を複数回オン、オフし、該オフの度に前記コイル（Ｌ１）に蓄積されたエネルギーを極性反転電源に出力する、請求項９に記載の電源回路。
【請求項１３】
前記コイル（Ｌ１）の出力側端子と接地間に接続された第２のトランジスタ（Ｔｒ２）、及び該第２のトランジスタを所定のタイミングでオン、オフさせる制御部を備え、前記第１のトランジスタ（Ｔｒ１）及び第２のトランジスタ（Ｔｒ２）をともにオフさせることにより、前記コイル（Ｌ１）に蓄積されたエネルギーを前記ダイオード（Ｄ１）とコンデンサ（Ｃ２）を介して放出し，極性反転出力を得るとともに、前記コイル（Ｌ１）の出力から昇降圧電源出力を得る、前記コイル（Ｌ１）に蓄積されたエネルギーを降圧電源に出力する、請求項９に記載の電源回路。
【請求項１４】
前記コイル（Ｌ１）の出力側端子と接地間に接続された第２のトランジスタ（Ｔｒ２）、及び該第２のトランジスタを所定のタイミングでオン、オフさせる制御部を備え、前記第１のトランジスタ（Ｔｒ１）及び第２のトランジスタ（Ｔｒ２）をともにオフさせることにより、前記コイル（Ｌ１）に蓄積されたエネルギーを極性反転電源及び降圧電源に出力し、前記第１のトランジスタ（Ｔｒ１）をオフにし第２のトランジスタ（Ｔｒ２）をオンにすることにより、前記コイル（Ｌ１）に蓄積されたエネルギーを極性反転電源に出力する、請求項９に記載の電源回路。
【請求項１５】
前記コイル（Ｌ１）の入力側端子と接地間に接続された第２のトランジスタ（Ｔｒ２）、及び該第２のトランジスタを所定のタイミングでオン、オフさせる制御部を備え、前記第１のトランジスタ（Ｔｒ１）をオフし、第２のトランジスタ（Ｔｒ２）をオンすることにより、降圧電源にコイル（Ｌ１）に蓄積されたエネルギーを出力する、請求項９に記載の電源回路。
【請求項１６】
前記コイル（Ｌ１）の入力側と接地間に接続された第２のトランジスタ（Ｔｒ２）、及び該第２のトランジスタを所定のタイミングでオン、オフさせる制御部を備え、前記第１のトランジスタ（Ｔｒ１）をオフし第２のトランジスタ（Ｔｒ２）をオンする動作の後、前記第１のトランジスタ（Ｔｒ１）をオンし第２のトランジスタ（Ｔｒ２）をオフする動作、及び前記第１のトランジスタ（Ｔｒ１）をオフし第２のトランジスタ（Ｔｒ２）をオンする動作を繰返す、請求項９に記載の電源回路。
【請求項１７】
前記コイル（Ｌ１）の出力側端子と接地間に接続された第２のトランジスタ（Ｔｒ２）、前記コイル（Ｌ１）の入力側端子と接地間に接続された第３のトランジスタ（Ｔｒ３）、及び該第２、第３のトランジスタを所定のタイミングでオン、オフさせる制御部を備え、
前記第１のトランジスタ（Ｔｒ１）がオフのときに第２のトランジスタ（Ｔｒ２）をオンさせることにより、前記コイル（Ｌ１）に蓄積されたエネルギーを極性反転電源に出力し、
前記第１のトランジスタ（Ｔｒ１）をオフし、第３のトランジスタ（Ｔｒ３）をオンすることにより、降圧電源にコイル（Ｌ１）に蓄積されたエネルギーを出力する、請求項９に記載の電源回路。
【発明の詳細な説明】
【技術分野】
【０００１】
本発明は、昇圧電源と降圧電源、降圧電源と極性反転電源、昇圧電源と極性反転電源等、２電源を有する電源装置の構成に関する。
【背景技術】
【０００２】
図１は昇圧電源と降圧電源を有する従来の２電源回路の構成を示す図である。図において、１は電源制御部であり、降圧制御部１１と昇圧制御部１２を有する。降圧電源出力部は抵抗Ｒ１、トランジスタＴｒ１、コイルＬ１、ダイオードＤ１、及びコンデンサＣ１を備えている。一方、昇圧電源出力部は抵抗Ｒ２、トランジスタＴｒ２、コイルＬ２、ダイオードＤ２、及びコンデンサＣ２を備えている。
【０００３】
上記降圧電源出力部の動作を図２（ａ）の波形図を参照して説明する。図２（ａ１）に示すように、降圧制御部１１によりトランジスタＴｒ１がオン・オフされる。Ｔｒ１がオンになると、入力電源（Ｖ＋）→抵抗（Ｒ１）→トランジスタ（Ｔｒ１）→コイル（Ｌ１）の経路で電流（ｉ）が流れ、コイル（Ｌ１）にエネルギーが蓄積される。一方、Ｔｒ１がオフになると、ダイオード（Ｄ１）→コイル（Ｌ１）の経路で電流（ｉ）が流れる。そして、降圧側供給電流（ｉｄｎ）が降圧電源出力に供給される（図２（ａ２）、（ａ３）参照）。
【０００４】
次に上記昇圧電源出力部の動作を図２（ｂ）の波形図を参照して説明する。図２（ｂ１）に示すように、昇圧制御部１２によりトランジスタＴｒ２がオン・オフされる。Ｔｒ２がオンになると、図２（ｂ２）に示すように、入力電源（Ｖ＋）→抵抗（Ｒ２）→コイル（Ｌ２）→トランジスタ（Ｔｒ２）の経路で電流（ｉ）が流れ、コイル（Ｌ２）にエネルギーが蓄積される。一方、Ｔｒ２がオフになると、入力電源（Ｖ＋）→抵抗（Ｒ２）→コイル（Ｌ２）→ダイオード（Ｄ２）の経路で電流（ｉ）が流れ、コイル（Ｌ２）に蓄積されたエネルギーが放出され、図２（ｂ３）に示すように昇圧側供給電流（ｉｕｐ）が昇圧電源出力に供給される。
従来の昇圧電源と降圧電源を有する２電源回路の構成の場合、図１示すようにコイルが２つ必要となる。
【０００５】
図３は降圧電源と極性反転電源を有する従来の２電源回路の構成を示す図である。図において、１は電源制御部であり、降圧制御部１１と極性反転制御部１３を有する。降圧電源出力部の構成は図１と同じである。極性反転電源出力部は抵抗Ｒ２、トランジスタＴｒ２、コイルＬ２、ダイオードＤ２、及びコンデンサＣ２を備えている。
【０００６】
上記極性反転電源出力部の動作を図４の波形図を参照して説明する。図４（ａ）に示すように、極性反転制御部１３によりトランジスタＴｒ２がオン・オフされる。Ｔｒ２がオンになると、入力電源（Ｖ＋）→抵抗（Ｒ２）→トランジスタ（Ｔｒ２）→コイル（Ｌ２）の経路で電流（ｉ）が流れ、コイル（Ｌ２）にエネルギーが蓄積される。一方、Ｔｒ２がオフになると、ダイオード（Ｄ２）→コイル（Ｌ２）の経路で電流（ｉ）が流れ、コイル（Ｌ２）に蓄積されたエネルギーが放出され、図４（ｃ）に示すように極性反転供給電流（ｉｒｅ）が流れ、極性反転電源が出力される。
従来の降圧電源と極性反転電源を有する２電源回路の構成の場合、図３に示すようにコイルが２つ必要となる。
【０００７】
図５は昇降圧電源と極性反転電源を有する従来の２電源回路の構成を示す図である。図において、１は電源制御部であり、昇降圧制御部１４と極性反転制御部１３を有する。極性反転電源出力部の構成は図３と同じである。
【０００８】
上記昇降圧電源出力部の動作を図６の波形図を参照して説明する。図６（ａ）（ｂ）に示すように、昇降圧制御部１４によりトランジスタＴｒ１及びＴｒ３がオン・オフされる。Ｔｒ１、Ｔｒ３がオンになると、入力電源（Ｖ＋）→抵抗（Ｒ１）→トランジスタ（Ｔｒ１）→コイル（Ｌ１）→トランジスタ（Ｔｒ３）の経路で電流（ｉ）が流れる。一方、Ｔｒ１、Ｔｒ３がオフになると、ダイオード（Ｄ１）→コイル（Ｌ１）→ダイオード（Ｄ３）の経路で電流（ｉ）が流れ、コイル（Ｌ１）に蓄積されたエネルギーが放出され、昇降圧供給電流（ｉｕｄ）が流れ、昇降圧電源が出力される（図６（ｃ）（ｄ）参照）。
【０００９】
上記構成により、入力電圧が低いときは昇圧して出力し、入力電圧が高いときは降圧して出力し、入力に関わらず出力を一定にすることができる。
従来の昇降圧電源と極性反転電源を有する２電源回路の構成の場合、図３に示すようにコイルが２つ必要となる。
なお、その他昇降圧チョッパ回路は、特許文献１、２、及び３に開示されている。
【００１０】
【特許文献１】特開２０００−１６５１５１号公報
【特許文献２】特開２０００−２５３６５３号公報
【特許文献３】特開平１１−２９９２２９号公報
【発明の開示】
【発明が解決しようとする課題】
【００１１】
上記従来例の場合、２つの電源に対応して２つのコイルを用いている。しかし、コイルは高価であり、サイズも大きいため小型化を図ることが困難であった。そこで、本発明では、１つのコイルで２電源回路を構成し、コストを低減し、サイズを小さくすることを目的とするものである。
【課題を解決するための手段】
【００１２】
本願の請求項１に記載された実施例１の電源回路によれば、一方の端子が入力電源（Ｖ＋）に接続されたコイル（Ｌ１）、該コイルの他方の端子に接続された第１のトランジスタ（Ｔｒ１）、該第１のトランジスタと並列に接続されたダイオード（Ｄ１）、及び該第１のトランジスタを所定のタイミングでオン、オフさせる制御部を備え、前記第１のトランジスタ（Ｔｒ１）をオンすることにより降圧電源出力を得るとともに前記コイル（Ｌ１）にエネルギーを蓄積し、前記第１のトランジスタ（Ｔｒ１）をオフすることにより前記コイル（Ｌ１）に蓄積されたエネルギーを前記ダイオード（Ｄ１）を介して放出し昇圧電源出力を得ている。
【００１３】
請求項２に記載された実施例４の電源回路によれば、前記コイル（Ｌ１）の他方の端子に、前記第１のトランジスタ（Ｔｒ１）及び前記ダイオード（Ｄ１）と並列に接続された第２のトランジスタ（Ｔｒ２）、及び該第２のトランジスタを所定のタイミングでオン、オフさせる制御部を備え、前記第１のトランジスタ（Ｔｒ１）がオフの間の一部において該第２のトランジスタ（Ｔｒ２）をオンすることにより昇圧電源に必要なエネルギーを前記コイル（Ｌ１）に蓄積する。
【００１４】
請求項３に記載された実施例５の電源回路によれば、前記第１のトランジスタ（Ｔｒ１）がオンからオフになり、前記第２のトランジスタ（Ｔｒ２）がオフからオンになるときに、前記第１及び第２のトランジスタ（Ｔｒ１、Ｔｒ２）がともにオンとなる期間を設けた。
【００１５】
請求項４に記載された実施例６の電源回路によれば、前記第１のトランジスタ（Ｔｒ１）がオフの間に前記第２のトランジスタ（Ｔｒ２）を複数回オン、オフすることにより昇圧電源に必要なエネルギーを前記コイルに蓄積する。
【００１６】
請求項５に記載された実施例７の電源回路によれば、前記第１のトランジスタ（Ｔｒ１）及び第２のトランジスタ（Ｔｒ２）に電流制限部を設け、前記コイル（Ｌ１）に設定値以上の電流が流れたことが検知されたとき、前記電流制限部が前記第１及び第２のトランジスタ（Ｔｒ１、Ｔｒ２）の各々に流れる電流を制限する。
【００１７】
請求項６に記載された実施例１２によれば、前記入力電源（Ｖ＋）と前記コイル（Ｌ１）の間に直列に接続された第２のトランジスタ（Ｔｒ２）、該第２のトランジスタ（Ｔｒ２）と前記コイル（Ｌ１）の間と接地間に接続されたダイオード（Ｄ２）、及び該第２のトランジスタを所定のタイミングでオン、オフさせる制御部を備え、前記第１のトランジスタ（Ｔｒ１）がオンのときに該第２のトランジスタ（Ｔｒ２）をオン、オフとすることにより、降圧電源へエネルギー供給を行う。
【００１８】
請求項７に記載された実施例１３の電源回路によれば、前記第１のトランジスタ（Ｔｒ１）がオンのときに前記第２のトランジスタ（Ｔｒ２）を複数回オフとすることにより、降圧電源へエネルギー供給を行う。
【００１９】
請求項８に記載された実施例１４の電源回路によれば、前記コイル（Ｌ１）の出力側の端子に、前記第１のトランジスタ（Ｔｒ１）及び前記ダイオード（Ｄ１）と並列に接続された第３のトランジスタ（Ｔｒ３）、及び該第３のトランジスタを所定のタイミングでオン、オフさせる制御部を備え、前記第１のトランジスタ（Ｔｒ１）がオフの間に該第３のトランジスタ（Ｔｒ３）をオンすることにより、昇圧電源に必要なエネルギーを前記コイルに蓄積し、前記第１のトランジスタ（Ｔｒ１）がオンの間に該第３のトランジスタ（Ｔｒ３）をオフすることにより、降圧電源へエネルギー供給を行う。
【００２０】
本願の請求項９に記載された実施例２の電源回路によれば、一方の端子が入力電源に接続された第１のトランジスタ（Ｔｒ１）、該第１のトランジスタ（Ｔｒ１）の他方の端子に接続されたコイル（Ｌ１）、該コイルと並列に接続されたダイオード（Ｄ１）とコンデンサ（Ｃ２）、及び該トランジスタを所定のタイミングでオン、オフさせる制御部を備え、前記第１のトランジスタ（Ｔｒ１）をオンすることにより前記コイル（Ｌ１）から降圧電源出力を得るとともに前記コイル（Ｌ１）にエネルギーを蓄積し、前記第１のトランジスタ（Ｔｒ１）をオフすることにより前記コイル（Ｌ１）に蓄積されたエネルギーを前記ダイオード（Ｄ１）とコンデンサ（Ｃ２）を介して放出し，極性反転出力を得るとともに、前記コイル（Ｌ１）の出力から降圧電源出力を得る。
【００２１】
請求項１０に記載された実施例３の電源回路によれば、前記コイル（Ｌ１）の出力側と接地間に接続された第２のトランジスタ（Ｔｒ２）、及び該第２のトランジスタを所定のタイミングでオン、オフさせる制御部を備え、前記第１と第２のトランジスタ（Ｔｒ１、Ｔｒ２）をともにオンさせることにより、極性反転電源に出力するエネルギーを蓄積し、前記第１と第２のトランジスタ（Ｔｒ１、Ｔｒ２）をともにオフさせることにより、前記コイル（Ｌ１）に蓄積されたエネルギーを前記ダイオード（Ｄ１）とコンデンサ（Ｃ２）を介して放出し，極性反転出力を得るとともに、前記コイル（Ｌ１）の出力から昇降圧電源出力を得る。
【００２２】
請求項１１に記載された実施例８の電源回路によれば、前記コイル（Ｌ１）の出力側と接地間に接続された第２のトランジスタ（Ｔｒ２）、及び該第２のトランジスタを所定のタイミングでオン、オフさせる制御部を備え、前記第１のトランジスタ（Ｔｒ１）がオフのときに第２のトランジスタ（Ｔｒ２）をオンさせることにより、前記コイル（Ｌ１）に蓄積されたエネルギーを極性反転電源に出力する。
【００２３】
請求項１２に記載された実施例９の電源回路によれば、前記コイル（Ｌ１）の出力側と接地間に接続された第２のトランジスタ（Ｔｒ２）、及び該第２のトランジスタを所定のタイミングでオン、オフさせる制御部を備え、前記第２のトランジスタ（Ｔｒ２）がオンのときに、前記第１のトランジスタ（Ｔｒ１）を複数回オン、オフし、該オフの度に前記コイル（Ｌ１）に蓄積されたエネルギーを極性反転電源に出力する。
【００２４】
請求項１３に記載された実施例１０の電源回路によれば、前記コイル（Ｌ１）の出力側端子と接地間に接続された第２のトランジスタ（Ｔｒ２）、及び該第２のトランジスタを所定のタイミングでオン、オフさせる制御部を備え、前記第１のトランジスタ（Ｔｒ１）及び第２のトランジスタ（Ｔｒ２）をともにオフさせることにより、前記コイル（Ｌ１）に蓄積されたエネルギーを前記ダイオード（Ｄ１）とコンデンサ（Ｃ２）を介して放出し、極性反転出力を得るとともに、前記コイル（Ｌ１）の出力から降圧電源出力を得る、前記コイル（Ｌ１）に蓄積されたエネルギーを降圧電源に出力する。
【００２５】
請求項１４に記載された実施例１１の電源回路によれば、前記コイル（Ｌ１）の出力側端子と接地間に接続された第２のトランジスタ（Ｔｒ２）、及び該第２のトランジスタを所定のタイミングでオン、オフさせる制御部を備え、前記第１のトランジスタ（Ｔｒ１）及び第２のトランジスタ（Ｔｒ２）をともにオフさせることにより、前記コイル（Ｌ１）に蓄積されたエネルギーを極性反転電源及び降圧電源に出力し、前記第１のトランジスタ（Ｔｒ１）をオフにし第２のトランジスタ（Ｔｒ２）をオンにすることにより、前記コイル（Ｌ１）に蓄積されたエネルギーを極性反転電源に出力する。
【００２６】
請求項１５に記載された実施例１５の電源回路によれば、前記コイル（Ｌ１）の入力側端子と接地間に接続された第２のトランジスタ（Ｔｒ２）、及び該第２のトランジスタを所定のタイミングでオン、オフさせる制御部を備え、前記第１のトランジスタ（Ｔｒ１）をオフし、第２のトランジスタ（Ｔｒ２）をオンすることにより、降圧電源にコイル（Ｌ１）に蓄積されたエネルギーを出力する。
【００２７】
請求項１６に記載された実施例１６の電源回路によれば、前記コイル（Ｌ１）の入力側と接地間に接続された第２のトランジスタ（Ｔｒ２）、及び該第２のトランジスタを所定のタイミングでオン、オフさせる制御部を備え、前記第１のトランジスタ（Ｔｒ１）をオフし第２のトランジスタ（Ｔｒ２）をオンする動作の後、前記第１のトランジスタ（Ｔｒ１）をオンし第２のトランジスタ（Ｔｒ２）をオフする動作、及び前記第１のトランジスタ（Ｔｒ１）をオフし第２のトランジスタ（Ｔｒ２）をオンする動作を繰返す。
【００２８】
請求項１７に記載の実施例１７の電源回路によれば、前記コイル（Ｌ１）の出力側端子と接地間に接続された第２のトランジスタ（Ｔｒ２）、前記コイル（Ｌ１）の入力側端子と接地間に接続された第３のトランジスタ（Ｔｒ３）、及び該第２、第３のトランジスタを所定のタイミングでオン、オフさせる制御部を備え、前記第１のトランジスタ（Ｔｒ１）がオフのときに第２のトランジスタ（Ｔｒ２）をオンさせることにより、前記コイル（Ｌ１）に蓄積されたエネルギーを極性反転電源に出力し、前記第１のトランジスタ（Ｔｒ１）をオフし、第３のトランジスタ（Ｔｒ３）をオンすることにより、降圧電源にコイル（Ｌ１）に蓄積されたエネルギーを出力する。
【００２９】
なお、本発明の説明ではスイッチングトランジスタを単体としたが、複数個設けてもよい。
【発明の効果】
【００３０】
本発明によれば、１つのコイルを用いて２電源回路を構成することができるので、コストを低減し、サイズを小さくすることができる。
【発明を実施するための最良の形態】
【００３１】
〔実施例１〕
図７は本発明の実施例１による昇圧電源と降圧電源を有する２電源回路の構成を示す図である。電源制御部１は昇圧・降圧制御部１５を有する。昇圧及び降圧電源出力部は、入力電源（Ｖ＋）、抵抗（Ｒ１）、コイル（Ｌ１）、ダイオード（Ｄ１)、トランジスタ（Ｔｒ１）、コンデンサ（Ｃ１、Ｃ２）を有している。上記構成において、１つのコイル（Ｌ１）で昇圧電源出力及び降圧電源出力の２つの出力を得ることができる。
【００３２】
図８は図７に示した実施例１の電源回路の動作を説明するための図である。トランジスタＴｒ１がオンの時（図８（ａ）参照）には、入力電源（Ｖ＋）→抵抗（Ｒ１）→コイル（Ｌ１）→トランジスタ（Ｔｒ１）の経路で電流（ｉ１）が流れ、コイル（Ｌ１）にエネルギーが蓄積される（図８（ｂ）参照）。一方、Ｔｒ１がオフになると、入力電源（Ｖ＋）→抵抗（Ｒ１）→コイル（Ｌ１）→ダイオード（Ｄ１）の経路で電流（ｉ２）が流れ、コイル（Ｌ１）のエネルギーが放出される（図８（ｂ）参照）。その結果、降圧側供給電流（ｉｄｎ）が降圧電源出力側に出力され（図８（ｃ）参照）、昇圧側供給電流（ｉｕｐ）が昇圧電源出力側に出力され（図８（ｄ）参照）、降圧電源出力及び昇圧電源出力が得られる。
【００３３】
従来の昇圧電源の場合、図１に示されているように、昇圧用コイル（Ｌ２）を昇圧制御用スイッチングトランジスタ（Ｔｒ２）をオンすることによって接地接続し、昇圧用コイル（Ｌ２）に電流を流して昇圧に必要なエネルギーをコイル（Ｌ２）に蓄積していた。
しかし、本実施例では、降圧制御用スイッチングトランジスタ（Ｔｒ１）をオンし、降圧電源側に電流を流すことによってコイル（Ｌ１）にエネルギーを蓄積しているため、降圧電源への電流供給と昇圧に必要なコイル（Ｌ１）へのエネルギー蓄積を同時に行うことができ、これによってコイルの共通化を図っている。
【００３４】
また、従来の降圧電源の場合、図１に示されているように、降圧制御用スイッチングトランジスタ（Ｔｒ１）をコイル（Ｌ１）より入力電源側に挿入しているためＴｒ１がオフのときでも放電電流が流れ、降圧電源出力側に電流が連続的に供給される。しかし、本実施例の場合、スイッチングトランジスタ（Ｔｒ１）がコイル（Ｌ１）より降圧電源出力側に挿入されているため、Ｔｒ１がオフのときには降圧電源出力側に電流は供給されず、電流供給は断続的に行われる。そのため、従来の降圧電源より大きな電流が流れるが、１つのコイルで降圧及び昇圧電源の出力が可能となる。
【００３５】
〔実施例２〕
図９は本発明の実施例２による降圧電源と極性反転電源を有する２電源回路の構成を示す図である。電源制御部１は降圧・極性反転制御部１６を有する。降圧・極性反転出力部は、入力電源（Ｖ＋）、抵抗（Ｒ１）、トランジスタ（Ｔｒ１）、コイル（Ｌ１）、ダイオード（Ｄ１)、コンデンサ（Ｃ１、Ｃ２）を有している。
【００３６】
図１０は図９に示した実施例２の動作を説明するための図である。図１０（ａ）に示すように、トランジスタＴｒ１がオンの時には、入力電源（Ｖ＋）→抵抗（Ｒ１）→トランジスタ（Ｔｒ１）→コイル（Ｌ１）の経路で電流（ｉ１）が流れ、コイル（Ｌ１）にエネルギーが蓄積される。一方、Ｔｒ１がオフになると、コンデンサ（Ｃ２）→ダイオード（Ｄ１）→コイル（Ｌ１）の経路で電流（ｉ２）が流れ、コイル（Ｌ１）のエネルギーが放出される（図１０（ｂ）参照）。その結果、降圧側供給電流（ｉｄｎ）が降圧電源出力側に出力され（図１０（ｃ）参照）、極性反転側供給電流（ｉｒｅ）が極性反転電源出力側に出力され（図１０（ｄ）参照）、降圧電源出力及び極性反転電源出力が得られる。
【００３７】
従来の極性反転電源の場合、図３に示されているように、極性反転用スイッチングトランジスタ（Ｔｒ２）をオンすることによってコイル（Ｌ１）に電流を流し、極性反転電源に必要なエネルギーをコイル（Ｌ１）に蓄積している。
【００３８】
しかし、本実施例では図９、１０に示されているように、スイッチングトランジスタ（Ｔｒ１）をオンして降圧電源側に電流を流すことによってコイル（Ｌ１）に極性反転電源に必要なエネルギーを蓄積している。これによって、降圧電源への電流供給と極性反転電源に必要なコイル（Ｌ１）へのエネルギー蓄積を同時に行うことができ、これによってコイルの共通化を図っている。
【００３９】
〔実施例３〕
図１１は本発明の実施例３による昇降圧電源と極性反転電源を有する２電源回路の構成を示す図である。電源制御部１は昇降圧及び極性反転制御部１７を有する。昇降圧及び極性反転出力部は、入力電源（Ｖ＋）、抵抗（Ｒ１）、トランジスタ（Ｔｒ１、Ｔｒ２）、コイル（Ｌ１）、ダイオード（Ｄ１、Ｄ２)、コンデンサ（Ｃ１、Ｃ２）を有している。
【００４０】
図１２は図１１に示した実施例３の動作を説明するための図である。図１２（ａ）に示すように、トランジスタＴｒ１、Ｔｒ２がオンの時には、入力電源（Ｖ＋）→抵抗（Ｒ１）→トランジスタ（Ｔｒ１）→コイル（Ｌ１）→トランジスタ（Ｔｒ２）の経路で電流（ｉ１）が流れ、コイル（Ｌ１）にエネルギーが蓄積される。一方、Ｔｒ１、Ｔｒ２がオフになると、コンデンサ（Ｃ２）→ダイオード（Ｄ１）→コイル（Ｌ１）→ダイオード（Ｄ２）の経路で電流（ｉ２）が流れ、コイル（Ｌ１）のエネルギーが放出される（図１２（ｂ）参照）。その結果、昇降圧側供給電流（ｉｕｄ）が昇降圧電源出力側に出力され（図１２（ｃ）参照）、極性反転側供給電流（ｉｒｅ）が、極性反転出電源力側に出力され（図１２（ｄ）参照）、昇降圧電源出力と極性反転電源出力が得られる。
【００４１】
上記のように本実施例では、スイッチングトランジスタＴｒ１、Ｔｒ２をオンさせることによってコイル（Ｌ１）にエネルギーを蓄積し、Ｔｒ１、Ｔｒ２をオフすることによってコイル（Ｌ１）に蓄積されたエネルギーを昇降圧電源出力及び極性反転電源出力に放出することによって、コイルの共通化を図っている。
【００４２】
〔実施例４〕
図１３は、図７に示す実施例１の昇圧電源と降圧電源を有する２電源回路の構成において、昇圧制御用のトランジスタ（Ｔｒ２）を設けたものである。
実施例１では、降圧電源の負荷電流が減少すると、Ｔｒ１のオン期間が減少し、コイル（Ｌ１）に流れる電流及び蓄積エネルギーが減少してしまうため、昇圧電源に必要なエネルギーが十分得られなくなる。また、昇圧電源の負荷電流が増加しても同様の現象が起こる。そこで、実施例４では、昇圧電源制御用のトランジスタ（Ｔｒ２）を設け、Ｔｒ２をオンして昇圧電源に必要なコイル（Ｌ１）のエネルギーを補うようにしたものである。
【００４３】
図１４は図１３に示した２電源回路の動作を説明するための図である。トランジスタＴｒ１がオンで、トランジスタＴｒ２がオフの時には（図１４（ａ）（ｂ）参照）、入力電源（Ｖ＋）→抵抗（Ｒ１）→コイル（Ｌ１）→ダイオード（Ｄ２）→トランジスタ（Ｔｒ１）の経路で電流（ｉ１）が流れ、コイル（Ｌ１）にエネルギーが蓄積される。一方、Ｔｒ１がオフになりＴｒ２がオンになると（図１４（ｂ）参照）、入力電源（Ｖ＋）→抵抗（Ｒ１）→コイル（Ｌ１）→トランジスタ（Ｔｒ２）の経路で電流（ｉ２）が流れ、コイル（Ｌ１）にエネルギーがさらに蓄積される。次に、Ｔｒ１、Ｔｒ２が共にオフになると、入力電源（Ｖ＋）→抵抗（Ｒ１）→コイル（Ｌ１）→ダイオード（Ｄ１）の経路で電流（ｉ３）が流れ、コイル（Ｌ１）のエネルギーが放出される（図１４（ｃ）参照）。
【００４４】
その結果、降圧側供給電流（ｉｄｎ）が降圧電源出力側に出力され（図１４（ｄ）参照）、昇圧側供給電流（ｉｕｐ）が昇圧電源出力側に出力され（図１４（ｅ）参照）、降圧電源出力及び昇圧電源出力が得られる。
上記実施例では昇圧制御用トランジスタＴｒ２を設け、これをオンしてコイル（Ｌ１）にエネルギーを蓄積することにより、昇圧電源に必要なエネルギーを十分得ることができる。
なお、図１４において、(1)、(2)、(3)はそれぞれ電流ｉ１、ｉ２、ｉ３が流れる経路及び期間を示す。以下の実施例の説明についても同じである。
【００４５】
〔実施例５〕
図１５は、図１３、１４に示す実施例４の変形であり、降圧制御用トランジスタ（Ｔｒ１）がオンからオフに変わり、昇圧制御用トランジスタ（Ｔｒ２）がオフからオンに変わる時に、両トランジスタが同時にオンする期間を設けたものである。
上記のように両トランジスタ（Ｔｒ１、Ｔｒ２）が同時にオンする期間を設けない場合には、僅かではあるが両トランジスタが共にオフとなる期間が生じ、コイル（Ｌ１）に流れる電流が変動し、電源ノイズの発生に影響を与えてしまう（図１５（ｆ）参照）。
【００４６】
実施例５では、図１５（ａ）（ｂ）に示されているように、昇圧制御用トランジスタ（Ｔｒ２）がオフからオンに変わる時に、トランジスタＴｒ１、Ｔｒ２が同時にオンする期間を設けたため、コイル（Ｌ１）に流れる電流がｉ１からｉ２に変わるときに滑らかに変化し、ノイズへの影響を少なくすることができる（図１５（ｃ）参照）。
なお、図１３に示す構成では、両トランジスタ（Ｔｒ１、Ｔｒ２）が同時にオンとなっても、降圧電源出力側に逆流阻止用にダイオード（Ｄ２）を設けているため、両トランジスタが同時にオンとなることによる影響はない。
【００４７】
〔実施例６〕
図１６は、図１３に示す実施例４の変形である。実施例４では、トランジスタＴｒ１がオフの間の最初の一部の間にトランジスタＴｒ２をオンにしてコイル（Ｌ１）に電流を流してエネルギーを蓄積し、昇圧電源に必要なエネルギーを補うようにしている。
実施例６では、トランジスタＴｒ１がオフの間に複数回トランジスタＴｒ２をオンにして、降圧電源の制御不足が生じないように昇圧電源への十分なエネルギー供給を行えるようにしている。これにより、昇圧電源へのエネルギー供給が増大した場合に、降圧電源側へのエネルギーを一時的に停止し、昇圧電源へのエネルギー供給能力を高めることができる。
【００４８】
図１６を参照して実施例６の２電源回路の動作を説明する。トランジスタＴｒ１がオンの時には（図１６（ａ）（ｂ）参照）、入力電源（Ｖ＋）→抵抗（Ｒ１）→コイル（Ｌ１）→ダイオード（Ｄ２）→トランジスタ（Ｔｒ１）の経路で電流（ｉ１）が流れる。一方、Ｔｒ１がオフになるとＴｒ２がオンとなり、入力電源（Ｖ＋）→抵抗（Ｒ１）→コイル（Ｌ１）→トランジスタ（Ｔｒ２）の経路で電流（ｉ２）が流れる。次に、Ｔｒ１、Ｔｒ２が共にオフになると、入力電源（Ｖ＋）→抵抗（Ｒ１）→コイル（Ｌ１）→ダイオード（Ｄ１）の経路で電流（ｉ３）が流れる。
【００４９】
次に、Ｔｒ１がオフの状態でＴｒ２がオンになると、入力電源（Ｖ＋）→抵抗（Ｒ１）→コイル（Ｌ１）→トランジスタ（Ｔｒ２）の経路で電流（ｉ２）が流れる。そして、Ｔｒ１、Ｔｒ２が共にオフになると、入力電源（Ｖ＋）→抵抗（Ｒ１）→コイル（Ｌ１）→ダイオード（Ｄ１）の経路で電流（ｉ３）が流れる。
その結果、降圧側供給電流（ｉ１）が降圧電源出力側に出力され（図１６（ｄ）参照）、昇圧側供給電流（ｉ３）が昇圧電源出力側に出力され（図８（ｅ）参照）、それぞれ降圧電源及び昇圧電源を出力する。
このように、トランジスタ（Ｔｒ２）をオン、オフ制御することによって昇圧電源に必要なエネルギーを蓄積することができる。
【００５０】
〔実施例７〕
図１７は、図１３に示す実施例４の変形である。本実施例では、トランジスタＴｒ１、Ｔｒ２に電流制限部を設け、コイル（Ｌ１）に設定電流値以上の電流が流れないようにしたものである。
図１３の構成と異なるのは、図１７においては昇圧・降圧制御部１５に電流制限部１５１を設け、トランジスタＴｒ１、Ｔｒ２を制御するＴｒ制御部１５２と１５３をそれぞれ設けたことである。
【００５１】
実施例７では、入力電源Ｖ＋とコイル（Ｌ１）の間に接続した抵抗（Ｒ１）における電圧降下からコイル（Ｌ１）及びトランジスタＴｒ１、Ｔｒ２に流れる電流を監視し、コイル（Ｌ１）に設定値以上の電流が流れた場合電流制限部がこれを検知し、トランジスタＴｒ１、Ｔｒ２を共にオフすることによって両トランジスタを過電流から保護する。
【００５２】
〔実施例８〕
図１８は、図９に示す実施例２の降圧電源と極性反転電源を有する２電源回路の構成において、極性反転制御用のトランジスタ（Ｔｒ２）を設け、降圧負荷電流減少時にコイル（Ｌ１）に蓄積されるエネルギーが減少するのを防ぎ、極性反転電源に必要なエネルギーを得られるようにしたものである。
【００５３】
実施例２では、降圧電源の負荷電流が減少すると、Ｔｒ１のオン期間が減少し、コイル（Ｌ１）に流れる電流及び蓄積エネルギーが減少してしまうため、極性反転電源に必要なエネルギーが得られなくなる。そこで、本実施例では、降圧電源制御用のトランジスタ（Ｔｒ２）を設け、極性反転電源に必要なコイルのエネルギーを補うようにＴｒ２をスイッチングするようにしている。
【００５４】
図１９は図１８に示した２電源回路の動作を説明するための図である。図１９（ａ）に示すように、トランジスタＴｒ１がオンの時には、入力電源（Ｖ＋）→抵抗（Ｒ１）→トランジスタ（Ｔｒ１）→コイル（Ｌ１）→ダイオード（Ｄ２）の経路で電流（ｉ１）が流れる。そして、降圧電源に電流を供給すると共に、コイル（Ｌ１）にエネルギーを蓄積する。降圧電源に電流を供給できるのはこの期間だけである。
【００５５】
次に、図１９（ａ）（ｂ）に示すように、Ｔｒ１がオン状態でＴｒ２がオンになると、入力電源（Ｖ＋）→抵抗（Ｒ１）→トランジスタ（Ｔｒ１）→コイル（Ｌ１）→トランジスタ（Ｔｒ２）の経路で電流（ｉ２）が流れ、極性反転電源に必要なエネルギーをコイル（Ｌ１）に蓄積する。次に、Ｔｒ２がオン状態でＴｒ１がオフになると、コンデンサ（Ｃ２）→ダイオード（Ｄ１）→コイル（Ｌ１）→トランジスタ（Ｔｒ２）の経路で電流（ｉ３）が流れ、蓄積されたエネルギーを極性反転電源から出力する。
その結果、降圧側供給電流（ｉｄｎ）が降圧電源出力側に出力され、（図１９（ｄ）参照）、極性反転側供給電流（ｉｒｅ）が極性反転側電源出力側から出力され（図１９（ｅ）参照）、降圧電源及び極性反転電源出力となる。
【００５６】
〔実施例９〕
図２０は、図１８、１９に示す実施例８の変形で、トランジスタＴｒ２がオン状態の間に、降圧電源の出力の制御不良が生じない範囲でトランジスタＴｒ１を複数回オフにしたものである。
図２０を参照して動作を説明する。図２０（ａ）（ｂ）に示すように、トランジスタＴｒ１がオンでＴｒ２がオフの時には、入力電源（Ｖ＋）→抵抗（Ｒ１）→トランジスタ（Ｔｒ１）→コイル（Ｌ１）→ダイオード（Ｄ２）の経路で電流（ｉ１）が流れる。そして、降圧電源に電流を供給すると共に、コイル（Ｌ１）にエネルギーを蓄積する。降圧電源に電流を供給できるのはこの期間だけである。
【００５７】
次に、Ｔｒ１がオン状態でＴｒ２がオンになると、入力電源（Ｖ＋）→抵抗（Ｒ１）→トランジスタ（Ｔｒ１）→コイル（Ｌ１）→トランジスタ（Ｔｒ２）の経路で電流（ｉ２）が流れ、極性反転電源に必要なエネルギーをコイル（Ｌ１）に蓄積する。次に、Ｔｒ２がオン状態でＴｒ１がオフになると、コンデンサ（Ｃ２）→ダイオード（Ｄ１）→コイル（Ｌ１）→トランジスタ（Ｔｒ２）の経路で電流（ｉ３）が流れ、蓄積されたエネルギーを極性反転電源から出力する。次に、トランジスタＴｒ１がオンされると電流ｉ２が流れ、極性反転電源に必要なエネルギーがコイル（Ｌ１）に蓄積される。そして、Ｔｒ２がオン状態でＴｒ１がオフになると電流ｉ３が流れ、蓄積されたエネルギーを極性反転電源から出力する。
【００５８】
その結果、降圧側供給電流（ｉｄｎ）が降圧電源出力側に供給され（図２０（ｄ）参照）、極性反転側供給電流（ｉｒｅ）が極性反転電源出力側に出力される（図１９（ｅ）参照）、それぞれ降圧電源及び極性反転電源出力となる。
上記のように、極性反転電源へのエネルギー供給が増大した時に、降圧電源側へのエネルギー供給を一時的に停止し、極性反転電源へのエネルギー供給能力を高めることができる。
【００５９】
〔実施例１０〕
図２１は、図１８、１９に示す実施例８と同じ回路構成において、トランジスタＴｒ１、Ｔｒ２を異なる方法で制御する構成を示した図である。
図１９に示す動作の説明において、トランジスタＴｒ１がオンの状態でトランジスタＴｒ２がオンとなる点は同じであるが、その後Ｔｒ１及びＴｒ２が共にオフになる点が異なっている。Ｔｒ１及びＴｒ２が共にオフになると、コンデンサ（Ｃ２）→ダイオード（Ｄ１）→コイル（Ｌ１）→ダイオード（Ｄ２）の経路で電流（ｉ３）が流れる。これにより、コイル（Ｌ１）に蓄積されたエネルギーを前記ダイオード（Ｄ１）とコンデンサ（Ｃ２）を介して放出し、極性反転出力を得るとともに、降圧電源出力を得る。
【００６０】
この場合、降圧側供給電流（ｉｄｎ）が降圧電源出力側に出力され（図２１（ｄ）参照）、極性反転側供給電流（ｉｒｅ）が極性反転電源出力側に出力される（図２１（ｅ）参照）。
上記の構成とすることによって、コイル（Ｌ１）に蓄積されたエネルギーを極性反転電源から降圧電源に放出し、両電源に電流を供給することができる。
【００６１】
〔実施例１１〕
図２２は、図１８、１９に示す実施例８と同じ回路構成において、トランジスタＴｒ１、Ｔｒ２を異なる方法で制御する構成を示した図である。
図２２に示す回路の動作において、トランジスタＴｒ１、Ｔｒ２が共にオンとなると、入力電源（Ｖ＋）→抵抗（Ｒ１）→トランジスタ（Ｔｒ１）→コイル（Ｌ１）→トランジスタ（Ｔｒ２）の経路で電流（ｉ１）が流れ、エネルギーをコイル（Ｌ１）に蓄積する。次に、トランジスタＴｒ１、Ｔｒ２が共にオフとなると、コンデンサ（Ｃ２）→ダイオード（Ｄ１）→コイル（Ｌ１）→ダイオード（Ｄ２）の経路で電流（ｉ２）が流れ、蓄積されたエネルギーを降圧電源及び極性反転電源から出力する。次に、Ｔｒ１がオフ状態でＴｒ２がオンになると、コンデンサ（Ｃ２）→ダイオード（Ｄ１）→コイル（Ｌ１）→トランジスタ（Ｔｒ２）の経路で電流（ｉ３）が流れ、蓄積されたエネルギーを極性反転電源から出力する。
【００６２】
この場合、降圧側供給電流（ｉｄｎ）が降圧電源出力側に出力され（図２２（ｄ）参照）、極性反転側供給電流（ｉｒｅ）極性反転電源出力側に出力される（図２２（ｅ）参照）。
上記のように実施例１１においては、スイッチングトランジスタＴＲ１、Ｔｒ２をともにオンにして極性反転電源に必要なエネルギーをコイル（Ｌ１）に蓄積し、次に、Ｔｒ１、Ｔｒ２を共にオフすることによって、蓄積されたエネルギーを極性反転電源から降圧電源に放出する。次に、Ｔｒ２だけをオンにして降圧電源に必要以上の電流が供給されないようにし、両電源を１つのコイルで安定した制御を行うことができる。
【００６３】
〔実施例１２〕
図２３は、図７、８に示す実施例１の２電源回路の構成において、降圧制御用のトランジスタ（Ｔｒ２）及びダイオード（Ｄ２）を設けたものである。
実施例１では、降圧電源の負荷電流が増加すると、Ｔｒ１のオン期間が増加し、コイル（Ｌ１）に流れる電流及び蓄積エネルギーが増加してしまうため、昇圧電源に必要以上のエネルギーが供給されてしまう。また、昇圧電源の負荷電流が減少しても同様の現象が起こる。そこで、実施例１２では、降圧電源制御用のトランジスタ（Ｔｒ２）を設け、不要なエネルギーが昇圧電源に供給されないようにしている。
【００６４】
図２４は図２３に示した実施例１２の動作を説明するための図である。トランジスタＴｒ１、Ｔｒ２がオンの時には（図２４（ａ）（ｂ）参照）、入力電源（Ｖ＋）→抵抗（Ｒ１）→トランジスタ（Ｔｒ２）→コイル（Ｌ１）→トランジスタ（Ｔｒ１）の経路で電流（ｉ１）が流れる。次に、Ｔｒ１がオフになると、入力電源（Ｖ＋）→抵抗（Ｒ１）→トランジスタ（Ｔｒ２）→コイル（Ｌ１）→ダイオード（Ｄ１）の経路で電流（ｉ２）が流れる。次に、Ｔｒ１がオンとなりＴｒ２がオフになると、ダイオード（Ｄ２）→コイル（Ｌ１）→トランジスタ（Ｔｒ１）の経路で電流（ｉ３）が流れる。
【００６５】
その結果、降圧側供給電流（ｉｄｎ）が降圧電源出力側に出力され（図２４（ｄ）参照）、昇圧側供給電流（ｉｕｐ）が昇圧電源出力側に出力され（図２４（ｅ）参照）、それぞれ降圧電源及び昇圧電源出力となる。
上記の構成とすることによって、降圧電源に必要なエネルギー供給を行ことができる。これにより、降圧電源へのエネルギー供給が増大したときには、昇圧電源側へのエネルギーを一時的に停止し、降圧電源へのエネルギー供給能力を高めることができる。
【００６６】
〔実施例１３〕
図２５は、図２４に示す実施例１２の変形である。実施例１３では、トランジスタＴｒ１がオンの間にトランジスタＴｒ２を複数回オフにして、昇圧電源の制御不良が起こらない範囲でＴｒ２のオン、オフを繰り返し行い、降圧電源へのエネルギー供給を集中的に行うようにしている。これにより、降圧電源へのエネルギー増大した場合に昇圧電源側へのエネルギー供給を一時的に停止し、降圧電源へのエネルギー供給能力を高めることができる。
【００６７】
〔実施例１４〕
図２６は、図２３に示す実施例１２の２電源回路の構成において、コイル（Ｌ１）の出力端子にトランジスタ（Ｔｒ３）を設けたものである。
実施例４又は実施例６に示す回路構成では、昇圧電源の負荷の減少又は降圧電源の負荷の増加に十分対応できない場合がある。
また、実施例１２又は実施例１３に示す回路構成では、降圧電源の負荷の減少又は昇圧電源の負荷の増加に十分対応できない場合がある。
【００６８】
そこで本実施例では、トランジスタ（Ｔｒ２）、ダイオード（Ｄ２）、及びトランジスタ（Ｔｒ３）を設けることにより、各電源負荷に応じて実施例４又は６、もしくは実施例１２又は１３で記載した動作をし、昇圧電源の負荷の減少又は降圧電源の負荷の増加、ならびに降圧電源の負荷の減少又は昇圧電源の負荷の増加に対応できるようにした。
【００６９】
〔実施例１５〕
図２７は、図９に示す実施例２の２電源回路の構成において、トランジスタ（Ｔｒ２）及びダイオード（Ｄ２）を設けたものである。
降圧電源の負荷電流が増加すると、トランジスタＴｒ１のオン期間が増加し、コイル（Ｌ１）に流れる電流及び蓄積エネルギーが増加するため、極性反転電源に必要以上のエネルギーが供給されてしまう。また、極性反転電源の負荷電流が減少しても同様の現象が起こる。
【００７０】
そこで本実施例では、降圧電源制御用のトランジスタＴｒ２及びダイオード（Ｄ２）を設け、トランジスタＴｒ１をオフし、Ｔｒ２をオンすることによって、降圧電源出力にコイル（Ｌ１）に蓄積されたエネルギーを出力し、極性反転電源に不要なエネルギーが供給されないようにしている。本実施例では実施例８とは反対に、降圧電源に多くのエネルギーを必要とする電源に適用することができる。
【００７１】
〔実施例１６〕
図２９は、図２８に示す実施例１５と回路構成は同じであり、トランジスタＴｒ、Ｔｒ２の制御方法を変えたものである。
図２９において、極性反転電源の制御不良が起こらない範囲で、Ｔｒ１がオフでＴｒ２がオン、及びＴｒ１がオンでＴｒ２がオフの動作を繰り返し行い、降圧電源へのエネルギー供給を集中的に行う。これにより、降圧電源へのエネルギー供給が増大した場合に極性反転電源側へのエネルギー供給を一時的に停止し、降圧電源へのエネルギ供給能力を高めることができる。
【００７２】
〔実施例１７〕
図３０は、図１８、１９に示す実施例８の降圧電源と極性反転電源を有する電源回路の構成において、トランジスタ（Ｔｒ３）及びダイオード（Ｄ３）を設けたものである。
実施例８、９、又は１０に示す回路構成では、極性反転電源の負荷の減少又は降圧電源の負荷の増加に十分対応できない場合がある。
また、実施例１５又は実施例１６に示す回路構成では、降圧電源の負荷の減少又は極性反転電源の負荷の増加に十分対応できない場合がある。
【００７３】
そこで本実施例では、前記トランジスタ（Ｔｒ１）がオフのときにＴｒ２をオンさせることにより、コイル（Ｌ１）に蓄積されたエネルギーを極性反転電源に出力し、極性反転電源の負荷の減少又は降圧電源の負荷の増加に対応できるようにした。
また、トランジスタ（Ｔｒ３）及びダイオード（Ｄ３）を設けることにより、前記トランジスタ（Ｔｒ１）がオフのときにＴｒ３をオンさせることにより、コイル（Ｌ１）に蓄積されたエネルギーを降圧電源に出力し、降圧電源の負荷の減少又は極性反転電源の負荷の増加に十分対応できるようにした。
【図面の簡単な説明】
【００７４】
【図１】従来の２電源回路の構成を示す図。
【図２】図１の電源回路の動作波形図。
【図３】従来の２電源回路の構成を示す図。
【図４】図３の電源回路の動作波形図。
【図５】従来の２電源回路の構成を示す図。
【図６】図５の電源回路の動作波形図。
【図７】本発明の実施例１の構成を示す図。
【図８】本発明の実施例１の動作説明図。
【図９】本発明の実施例２の構成を示す図。
【図１０】本発明の実施例２の動作説明図。
【図１１】本発明の実施例３の構成を示す図。
【図１２】本発明の実施例３の動作説明図。
【図１３】本発明の実施例４の構成を示す図。
【図１４】本発明の実施例４の動作説明図。
【図１５】本発明の実施例５の動作説明図。
【図１６】本発明の実施例６の動作説明図。
【図１７】本発明の実施例７の構成を示す図。
【図１８】本発明の実施例８の構成を示す図。
【図１９】本発明の実施例８の動作説明図。
【図２０】本発明の実施例９の動作説明図。
【図２１】本発明の実施例１０の動作説明図。
【図２２】本発明の実施例１１の動作説明図。
【図２３】本発明の実施例１２の構成を示す図。
【図２４】本発明の実施例１２の動作説明図。
【図２５】本発明の実施例１３の動作説明図。
【図２６】本発明の実施例１４の構成を示す図。
【図２７】本発明の実施例１５の構成を示す図。
【図２８】本発明の実施例１５の動作説明図。
【図２９】本発明の実施例１６の動作説明図。
【図３０】本発明の実施例１７の構成を示す図。
【符号の説明】
【００７５】
１…電源制御部
１１…降圧制御部
１２…昇圧制御部
１３…極性反転制御部
１４…昇降圧制御部
１５…昇圧・降圧制御部
１６…降圧・極性反転制御部
１７…昇降圧・極性反転制御部
１５１…電流制限部
【図１】
2005328645.tif 000003
【図２】
2005328645.tif 000004
【図３】
2005328645.tif 000005
【図４】
2005328645.tif 000006
【図５】
2005328645.tif 000007
【図６】
2005328645.tif 000008
【図７】
2005328645.tif 000009
【図８】
2005328645.tif 000010
【図９】
2005328645.tif 000011
【図１０】
2005328645.tif 000012
【図１１】
2005328645.tif 000013
【図１２】
2005328645.tif 000014
【図１３】
2005328645.tif 000015
【図１４】
2005328645.tif 000016
【図１５】
2005328645.tif 000017
【図１６】
2005328645.tif 000018
【図１７】
2005328645.tif 000019
【図１８】
2005328645.tif 000020
【図１９】
2005328645.tif 000021
【図２０】
2005328645.tif 000022
【図２１】
2005328645.tif 000023
【図２２】
2005328645.tif 000024
【図２３】
2005328645.tif 000025
【図２４】
2005328645.tif 000026
【図２５】
2005328645.tif 000027
【図２６】
2005328645.tif 000028
【図２７】
2005328645.tif 000029
【図２８】
2005328645.tif 000030
【図２９】
2005328645.tif 000031
【図３０】
2005328645.tif 000032